(57)【特許請求の範囲】
【請求項１】
入力電源をスイッチングするスイッチング回路部で発生するノイズの接続線を経由した入力電源側への漏洩を防止するノイズフィルタ回路部と、
前記スイッチング回路部から前記ノイズフィルタ回路部へ誘導によって漏洩するノイズを遮蔽するため前記スイッチング回路部と前記ノイズフィルタ回路部との間に設けられたシールド板と、
前記シールド板を前記ノイズフィルタ回路部の基板に仮固定する仮固定部と、前記ノイズフィルタ回路部と前記仮固定した前記シールド板を筐体に共締め固定する固定部とを備え、
前記仮固定部は、前記シールド板の第１方向への移動を規制する第１仮固定部と、前記シールド板の前記第１方向と直交する第２方向への移動を規制する第２仮固定部とからなり、
前記第１仮固定部は、前記ノイズフィルタ回路部を搭載した基板に設けた第１方向移動規制用切欠と、該第１方向移動規制用切欠に係合させるため前記シールド板に設けた第１方向移動規制用突起とから構成され、前記第２仮固定部は、前記基板を筐体に固定するための取付金具に設けた第２方向移動規制用切欠と、該第２方向移動規制用切欠に係合させるため前記シールド板に設けた第２方向移動規制用突起とから構成されることを特徴とする電源装置のシールド板固定構造。
【発明の詳細な説明】
【０００１】
【発明の属する技術分野】
本発明は、スイッチング電源のスイッチング回路部から入力電源側に漏洩するスイッチングノイズをシールド板によって軽減させる電源装置のシールド板固定構造に関する。
【０００２】
【従来の技術】
スイッチング電源装置は直流入力電源をスイッチングしたうえで所望の電圧として出力するようになっている。この種の電源装置は効率が良く小型に形成できる反面、スイッチングによってノイズが発生し、そのノイズが入力電源側に漏れてしまうので、スイッチング回路部の入力電源側にノイズフィルタを設けてスイッチング回路部で発生するノイズを減衰させている。
【０００３】
図５はスイッチング電源の要部を示す斜視図であり、スイッチング回路部収容スペース１に図示していないスイッチング回路部が収容される。基板２は、スイッチング回路部から入力電源側に漏洩するスイッチングノイズを減衰するためのノイズフィルタを搭載しているが、そのままではノイズフィルタを構成するコイルにスイッチング回路部からのノイズが誘導されてしまい規格が満足できない。
【０００４】
そこで基板２とスイッチング回路部との間にシールド板３を設けてスイッチング回路部から誘導されるノイズを遮蔽するようにしている。またこのシールド板３はノイズフィルタが搭載される基板２をねじ等で固定した上で、筐体４ａ，４ｂにねじ止め固定する構造となっている。
【０００５】
【発明が解決しようとする課題】
しかしながら、図６に示すように基板をシールド板に固定するために、シールド板３は基板２を固定することができるだけの強度が必要となる。またシールド板を筐体に取り付けるとき、シールド板自体を固定するだけの強度が要求されるので、シールド板は所定の厚みのものを使用する必要があることから、材料費がかさみ経済性が悪くなると共に重量およびスペースも増してしまうという問題があった。
【０００６】
本発明は、シールド板には機械的に固定する用途までは要求しないようにして材料費の削減および重量およびスペースを増加させないようにすることを目的とする。
【０００７】
【課題を解決するための手段】
この目的を達成するために、本発明では次のように構成する。
【０００８】
先ず本発明は、入力電源をスイッチングするスイッチング回路部で発生するノイズの接続線を経由した入力電源側への漏洩を防止するノイズフィルタ回路部と、スイッチング回路部からノイズフィルタ回路部へ誘導によって漏洩するノイズを遮蔽するためスイッチング回路部とノイズフィルタ回路部との間に設けられたシールド板と、シールド板をノイズフィルタ回路部の基板に仮固定する仮固定部と、ノイズフィルタ回路部と仮固定したシールド板を筐体に共締め固定する固定部とを備えたことを特徴とする。
【０００９】
また仮固定部は、シールド板の第１方向への移動を規制する第１仮固定部と、シールド板の第１方向と直交する第２方向への移動を規制する第２仮固定部とを備えたことを特徴とする。
【００１０】
また第１仮固定部は、ノイズフィルタ回路部を搭載した基板に設けた第１方向移動規制用切欠と、第１方向移動規制用切欠に係合させるためシールド板に設けた第１方向移動規制用突起とから構成され、第２仮固定部は、基板を筐体に固定するための取付金具に設けた第２方向移動規制用切欠と、第２方向移動規制用切欠に係合させるためシールド板に設けた第２方向移動規制用突起とから構成されることを特徴とする。
【００１１】
またコ字状に形成されたシールド板にスライドして収容される基板のスライド方向への移動を規制する第１仮固定部と、シールド板の厚み方向の移動を規制する第２仮固定部とを備えたことを特徴とする。
【００１２】
また第１固定部は、シールド板のコ字状折曲部に設けた第１突起と、基板に設けられ突起と当接し基板のスライド方向への移動を規制する切欠とから構成され、第２固定部は、シールド板の折曲部に設けられ基板を挟み込むことにより基板のスライドを自在としかつ基板の厚み方向への移動を規制する第２及び第３突起とから構成されることを特徴とする。
【００１３】
このような構造とすることによって取付強度は固定部によって確保することで、シールド板は本来のシールドの目的だけで済み、シールド板の機械的用途は固定部によって基板を固定するまでの仮固定の機能を果たすだけで良くなることから、厚みを薄くすることができる。
【００１４】
【発明の実施の形態】
図１は本発明を適用したシールド板を用いた電源装置の分解斜視図であり、図示していないノイズフィルタが搭載された基板１０が取付金具１２にねじ等によって取り付けられており、その取付金具１２と基板１０にコ字状に形成されたシールド板１４の突起１４ａ，１４ｂが係合することによって仮固定されている。
【００１５】
このように取付金具１２と基板１０に仮固定されたシールド板１４がねじ止め等の方法によって筐体１６ａ，１６ｂに共締め固定されることによって全体の取り付けが行われるようになっている。なお、シールド板１４の右側空間はスイッチング回路部が収容される空間である。
【００１６】
図２（Ａ）は図１における基板１０と取付金具の部分を示し、取付金具１２がねじ止めされた基板１０に取り付けられた状態を示す斜視図であり、取付金具１２の基板１０と接する部分に切欠１２ａが設けられており、基板１０は上端の辺から短辺方向に切欠１０ａが設けられている。
【００１７】
図２（ｂ）はコ字状に折り曲げられて形成されたシールド板１４を示す斜視図であり、取付金具１２の切り欠き１２ａと係合する位置に上面から下面方向へ押出形成された突起１４ａが設けられ、基板１０の切欠１０ａに係合する位置に上面から下面方向へ押出形成された突起１４ｂが設けられている。
【００１８】
また、図２には現れていないが、下側の取付金具１２にも切欠１２ａと同様の切欠が設けられ、シールド板１４の折り返された下側の部分にも突起１４ａと同様の突起が設けられている。
【００１９】
なお、基板１０はノイズフィルタ回路部に該当し、切り欠き１０ａ，１２ａおよび突起１４ａ，１４ｂは仮固定部に該当し、取付金具１２は固定部に該当する。
【００２０】
図３はシールド板１４と取付金具１２の係合状態を示す部分断面図であり、図３（Ａ）は図１のＡ−Ａ方向断面図であり、取付金具１２の切欠１２ａの付近を示している。図３（Ａ）において、基板１０に取付金具１２がねじ止めされており、その取付金具１２の折り曲げ部付近に切り欠き１２ａが設けられている。
【００２１】
シールド板１４の折り返された上側の面には上面から下面方向に押し出し形成された突起１４ａが設けられ、この突起１４ａは取付金具１２の切欠１２ａに係合する位置に設けられている。
【００２２】
図３（Ｂ）は図３（Ａ）におけるＢ−Ｂ方向断面図すなわち、シールド板１４の折返部下面側を切断したとき矢印Ｃ方向から見たときの部分断面図であり、取付金具１２に設けられた切り欠き１２ａにシールド板１４に設けられた突起１４ａが係合することによって、シールド板１４の図３（Ｂ）における左方向への移動が規制される。
【００２３】
図３（Ｃ）は図１におけるＤ−Ｄ方向部分断面図であり、基板１０の上側の辺に設けられた切欠１０ａにシールド板１４の突起１４ｂが係合することによって図３（Ｃ）の紙面表裏方向すなわち図２（Ａ）における基板１０の長手方向への移動が規制される。
【００２４】
図４は他の実施例であり、図４（Ａ）は基板１０をコ字状に形成したシールド板２４の両側面に設けられた突起２４ａ〜２４ｆにスライドさせながら挿入している段階を示す平面図，図４（Ｂ）は基板１０のスライドが終了して基板１０に設けられた切欠１０ｂの端部がシールド板の突起２４ｇに当接し、スライド方向の位置が規制された状態を示す斜視図である。
【００２５】
コ字状に形成されたシールド板２４の両側面に基板１０を挟み込んでスライドさせるための突起２４ａ〜２４ｆが設けられており、突起２４ｂおよび２４ｅは長手方向が基板１０の上側に基板１０の面と平行となるように設けられている。突起２４ａ，２４ｃ，２４ｄ，２４ｆは長手方向が基板１０の下側に基板１０の面と平行となるように設けられ、上側の突起と下側の突起で基板１０を挟み込みながら、基板１０がスライドできるように構成され、基板１０の厚み方向の移動を規制するようになっている。
【００２６】
シールド板２４の左側折返部に長手方向が基板１０の面と垂直方向となるように設けられた突起２４ｇは、基板１０がスライドによって規定の位置に到達したとき基板１０の切欠端部と当接し、基板１０のスライド方向の移動を規制するようになっている。
【００２７】
このように構成することによって、基板１０を突起２４ａ〜２４ｆによって挟み込みながらスライドさせ、取付金具２２ａが突起２４ｇと当接したとき基板１０が規定の位置に到達し、基板の厚み方向およびスライド方向の移動が規制され，仮固定位置に到達する。この状態で基板１０にねじ止め等の方法で基板１０に取り付けられている取付金具２２ａ〜２２ｃとシールド板２４の両側面をねじ止め等の方法によって筐体に固定することによって全体の固定が完了する。
【００２８】
なお以上の実施形態は一例であり、筐体、基板，取付金具の形状および厚み、ねじの数量および位置或いは種類については実際のものに即して適宜変更自在である。
【００２９】
【発明の効果】
以上説明したように本発明によれば、取付金具が実装された基板をシールド板に仮固定したうえで、取付金具とシールド板を筐体に共締め固定するようにしたので、固定のための強度は取付金具によってまかなわれ、シールド板はシールド#本来の目的を達成すれば事足りるので、厚みを薄くすることができ、材料費の低減や電源内のスペースの有効活用を図れるという効果を有する。
【図面の簡単な説明】
【図１】本発明を適用したシールド板を用いた電源装置の全体を示す斜視図
【図２】図１の基板およびシールド板の部分を示す斜視図
【図３】シールド板と切欠の係合状態を示す部分断面図
【図４】他の実施態様を示す平面図および斜視図
【図５】従来装置の構造を示す斜視図
【図６】図５に示すシールド板および基板の部分を拡大した斜視図
【符号の説明】
１０：基板
１０ａ，１０ｂ，１２ａ：切欠
１２，２２ａ，２２ｂ，２２ｃ：取付金具
１４：シールド板
１４ａ，１４ｂ，２４ａ〜２４ｇ：突起
１６ａａ，１６ｂ：筐体
【図１】
0003745635.tif 000002
【図２】
0003745635.tif 000003
【図３】
0003745635.tif 000004
【図４】
0003745635.tif 000005
【図５】
0003745635.tif 000006
【図６】
0003745635.tif 000007